(57)【要約】      （修正有）【課題】電池寸法に応じて電池収容空間を調節可能な電池箱を提供する。【解決手段】該調節可能な電池箱は、第１開口及び第１開口に相対する第２開口を含む箱ソケット３０と、傾斜方向に沿って第１開口に向いて該箱ソケットの第２開口箇所まで滑動設置される箱蓋４０と、その一端は、該箱蓋の長さの一端に係止し、該箱蓋に長さ方向の押圧力を提供するバネ５０と、を含む。異なる寸法の電池を該箱ソケットの第１開口から挿入することができ、同時に、該箱蓋を傾斜方向に沿って推移させ、且つ第２開口へ移動させ、この時、該バネは、圧縮されて電池箱の深さ及び長さを併せて拡大し、電池が完全に箱ソケットに挿入された後、該バネの回復力が該箱蓋に長さ方向の押圧力を提供し、箱蓋が傾斜方向に沿って第１開口へ電池を押圧し、電池を電池箱中に固定する。【選択図】図５
0003182959.tif 000002
【実用新案登録請求の範囲】
【請求項１】
第１開口及び第１開口に相対する第２開口を含む箱ソケットと、
傾斜方向に沿って第１開口に向いて該箱ソケットの第２開口箇所まで滑動設置される箱蓋と、
一端が該箱蓋の長さの一端に係止するバネと、
を含む調節可能な電池箱。
【請求項２】
前記箱蓋の幅方向の２つの側板上端にそれぞれ下向きに少なくとも１つの第１傾斜溝を形成し、且つ各側板の上端内に内向きに少なくとも１つの第１凸リブを延伸し、
前記箱蓋は、２つの平行な長側辺及び弧形板を含み、該弧形板の弧口は、下向きに２つの平行な長側辺の内側面にブリッジ接続し、また、２つの平行な長側辺は、それぞれ外側面において蓋ソケットの２つの側板の第１傾斜溝及び第１凸リブに対応して相互に適合する２つの凸リブ及び第２傾斜溝を形成し、相互に嵌合する請求項１に記載の調節可能な電池箱。
【請求項３】
前記箱蓋のバネの一端に係止される一側は、更に、該箱蓋から挿入部材を分離形成し、箱蓋の２つの長側辺の相対内面の挿入部材に対応する箇所にそれぞれ挿入溝を形成し、該挿入部材を該挿入溝に挿入させ、また、該挿入面のバネの一端に対する外側に円環を凸伸し、該バネの一端をその中に定位させる請求項２に記載の調節可能な電池箱。
【請求項４】
前記箱ソケットの該挿入部材に対応する一端に溝を形成し、該溝に相対する他端に第１貫通孔を形成し、第１電極バネを箱ソケット一端内に穿合させ、
前記箱蓋の挿入部材は、円環内に該溝に位置合わせられた第２貫通孔を形成し、第２電極バネを該バネ内に被せ設けさせ、第２貫通孔及び溝を通過させ、箱ソケットの他端内に穿合させる請求項３に記載の調節可能な電池箱。
【請求項５】
前記バネは、第１バネ段及び第２バネ段を含み、そのうち、第２バネ段外径は、第１バネ段及び第２貫通孔より小さく、そのうち、
前記箱ソケットの該挿入部材に対応する一端は、溝を形成し、該溝の他端は、第１貫通孔を形成し、第１電極バネを箱ソケット一端内に穿合させ、
前記箱蓋の挿入部材は、円環内に該溝に位置合わせられた第２貫通孔を形成し、該バネの第２電極バネ段を第２貫通孔及び溝に通過させ、箱ソケット他端内に穿合し、第１バネ段及び第２バネ段の境界箇所は、円環内に係止する請求項３に記載の調節可能な電池箱。
【請求項６】
回路板及び固定板を内設する外殻と、
外殻底部から内向きに一体に延伸し、第１開口及び第１開口に対応する第２開口を含む箱ソケットと、
傾斜方向に沿って第１開口に向けて該箱ソケットの第２開口箇所まで滑動設置される箱蓋と、
一端が該箱蓋の長さ方向の一端に係止し、他端が該外殻の固定板に係止するバネと、
を含む電子デバイス。
【請求項７】
前記箱蓋の幅方向の２つの側板上端にそれぞれ下向きに少なくとも１つの第１傾斜溝を形成し、且つ各側板の上端内に内向きに少なくとも１つの第１凸リブを延伸し、
前記箱蓋は、２つの平行な長側辺及び弧形板を含み、該弧形板の弧口は、下向きに２つの平行な長側辺の内側面にブリッジ接続し、また、２つの平行な長側辺は、それぞれ外側面において蓋ソケットの２つの側板の第１傾斜溝及び第１凸リブに対応して相互に適合する２つの凸リブ及び第２傾斜溝を形成し、相互に嵌合する請求項６に記載の電子デバイス。
【請求項８】
前記箱蓋のバネの一端に係止される一側は、更に、該箱蓋から挿入部材を分離形成し、箱蓋の２つの長側辺の相対内面の挿入部材に対応する箇所にそれぞれ挿入溝を形成し、該挿入部材を該挿入溝に挿入させ、また、該挿入面のバネの一端に対する外側に円環を凸伸し、該バネの一端をその中に定位させる請求項７に記載の電子デバイス。
【請求項９】
前記箱ソケットの該挿入部材に対応する一端に溝を形成し、該溝に相対する他端に第１貫通孔を形成し、第１電極バネを箱ソケット一端内に穿合させ、
前記箱蓋の挿入部材は、円環内に該溝に位置合わせられた第２貫通孔を形成し、第２電極バネを該バネ内に被せ設けさせ、第２貫通孔及び溝を通過させ、箱ソケットの他端内に穿合させる請求項８に記載の電子デバイス。
【請求項１０】
前記バネは、第１バネ段及び第２バネ段を含み、そのうち、第２バネ段外径は、第１バネ段及び第２貫通孔より小さく、そのうち、
前記箱ソケットの該挿入部材に対応する一端は、溝を形成し、該溝の他端は、第１貫通孔を形成し、第１電極バネを箱ソケット一端内に穿合させ、
前記箱蓋の挿入部材は、円環内に該溝に位置合わせられた第２貫通孔を形成し、該バネの第２電極バネ段を第２貫通孔及び溝に通過させ、箱ソケット他端内に穿合し、第１バネ段及び第２バネ段の境界箇所は、円環内に係止する請求項８に記載の電子デバイス。
【考案の詳細な説明】
【技術分野】
【０００１】
本考案は、電池箱に関し、特に調節可能な電池箱に関する。
【背景技術】
【０００２】
電池を電源供給元として使用した電子デバイスは、多く、電池の購入は、便利であるが、一般消費者にとっては、依然として不便なところがあり、特には、異なる型番の電池は、共用できないという困難がある。
【０００３】
簡単に言えば、よく見られる電子デバイスは、３号(単３)及び４号(単４)の電池を使用し、正に、この該電子デバイスの電池箱の寸法は、何れも電池の型番の大きさによって固定され、一部の電子デバイスは、３号及び４号の電池を共用することができるが、電池箱が固定寸法で設計されているので、共用の目的を達することはできない。使用者は、型番の誤った電池を購入して使用することができなくなるか、家中に異なる寸法の電池を累積させ、準備するようになり、何れも使用上の面倒を招いている。
【先行技術文献】
【特許文献】
【０００４】
【特許文献１】実用新案登録第３１１３０６７号公報
【考案の概要】
【考案が解決しようとする課題】
【０００５】
上記の既存の電子デバイスは、異なる型番の電池によって不便を生じる欠陥に鑑み、本考案の主な目的は、電池寸法に応じて電池収容空間を調整可能な調節可能式電池箱を提供することにある。
【課題を解決するための手段】
【０００６】
上記の目的を達成する為の技術手段として、該調節可能な電池箱は、第１開口及び第１開口に相対する第２開口を含む箱ソケットと、傾斜方向に沿って第１開口に向いて該箱ソケットの第２開口箇所まで滑動設置される箱蓋と、その一端は、該箱蓋の長さの一端に係止し、該箱蓋に長さ方向の押圧力を提供するバネと、を含む。
【０００７】
前記調節可能な電池箱を使用する電子デバイスは、その外殻内に該箱ソケットを一体に成型し、該箱ソケットの第１開口は、該電子デバイスの外殻に貫通設置され、これにより、電子デバイスは、前記調節可能な電池箱を使用することができる。
【考案の効果】
【０００８】
前記本発明の調節可能な電池箱は、異なる寸法の電池を該箱ソケットの第１開口から挿入することができ、同時に、該箱蓋を傾斜方向に沿って推移させ、且つ第２開口へ移動させ、この時、該バネは、圧縮されて電池箱の深さ及び長さを併せて拡大し、電池が完全に箱ソケットに挿入された後、該バネの回復力が該箱蓋に長さ方向の押圧力を提供し、箱蓋が傾斜方向に沿って第１開口へ電池を押圧し、電池を電池箱中に固定し、これにより、本発明は、異なる寸法の電池に応じて適当な収容空間を提供することができ、例えば、３号及び４号電池を強要する電子デバイスに３号又は４号の電池を使用させ、上記問題を解決することができる。
【図面の簡単な説明】
【０００９】
【図１】本考案の立体外観図である。
【図２】図１の俯瞰立体分解図である。
【図３】図１の仰視立体分解図である。
【図４】図１の俯瞰平面図である。
【図５】図１のもう１つの動作立体外観図である。
【図６】図５の俯瞰平面図である。
【図７】本考案の電池箱に３号電池（ＡＡ）を取り付けた側面図である。
【図８】本考案の電池箱に４号電池（ＡＡＡ）を取り付けた側面図である。
【考案を実施するための形態】
【００１０】
図１〜図３を参照し、それは、本考案の電池箱２０を電子デバイス１０内に設置した好適実施例であり、本実施例において、該電子デバイス１０は、無線マウスを例とするが、これに制限するものではない。そのうち、該電池箱２０は、箱ソケット３０と、箱蓋４０と、バネ５０と、を含み、実際の実施時、該箱ソケット３０は、該電子装置１０の外殻１１内に一体に成型されることができ、本実施例の電子デバイス外殻１１は、箱ソケット３０の長さ方向の一端箇所に間隔をおいて垂直な固定板３６を形成し、該固定板３６及び箱ソケット３０の長さ方向一端の間に収容溝を有する。
【００１１】
前記箱ソケット３０は、第１開口３１及び第１開口３１に相対する第２開口３２を含む。本実施例において、該箱ソケット３０の幅方向の２つの側板３３上端にそれぞれ下向きに少なくとも１つの第１傾斜溝３３１を形成し、各側板３３の上端内向きに少なくとも１つの第１傾斜溝３３１を形成し、各側板３３の上端において、内向きに少なくとも１つの第１凸リブ３３２を延伸し、本実施例において、各第１傾斜溝３３１及び第１凸リブ３３２は、何れも傾斜辺を有する幾何形状を有し、例えば、直角三角形、台形等を有する。本実施例は、説明に便利である為、直角三角形を範例として説明するが、直角三角形に制限するものではない。
【００１２】
上記箱蓋４０は、傾斜方向に沿って第１開口３１へ向けて該箱ソケット３０の第２開口３２まで滑動設置し、本実施例において、該蓋箱４０は、２つの平行な長側辺４１及び弧形板４２を含み、弧形板４２の弧口は、下向きに２つの平行な長側辺４１の内側面にブリッジ接続し、また、２つの平行な長側辺４１は、それぞれ外側面において箱ソケット３０の２つの側板３３の傾斜方向溝３３１及び第１凸リブ３３２に対応して互いに適合する第２凸リブ４１２及び第２傾斜溝４１１を形成し、相互に嵌合させ、そのうち、第２凸リブ４１２は、第１傾斜溝３３１より小さく、第１凸リブ３３２は、第２傾斜溝４１１より小さく、円滑に対応する第１、第２傾斜溝の斜面に沿って移動することができ、従って、本実施例において、直角三角形の傾斜面であり、即ち、該傾斜方向に平行である。また、第１凸リブ３３２は、該側板３３の上面から内向きに延伸し、故に箱蓋４０は、傾斜方向に沿って、且つ第２開口３２へ向けて滑動移動し、最後に第１凸リブ３３２により該第２傾斜溝４１１に係止して移動を停止するか、定位の効果を兼ね備えることができる。
【００１３】
前記バネ５０の一端は、該箱蓋４０の長さ方向の一側に係止され、該箱蓋４０に長さ方向の押圧力を提供する。本実施例において、該バネ５０は、箱蓋４０の長さ方向の一側及び固定板３６の間の収容溝中に設置される。また、該箱蓋４０の長さ方向の一側は、該箱蓋４０から挿入部材４３を分離形成し、箱蓋４０の２つの長側辺４１は、相対する内面の挿入部材４３に対応する箇所にそれぞれ挿入溝４１３を形成し、該挿入部材４３を該挿入溝４１３に挿入させる。そのうち、該挿入部材４３の固定板３６に面する外側に円環４３１を凸伸し、該バネ５０の一端に係止させ、該円環４３１内に定位することができ、箱蓋４０に従って移動して離脱することがない。
【００１４】
電子装置１０内部の回路板１２が電池の正負極に電気接続するのに便利である為、該箱ソケット３０は、挿入部材４３の一端に対応し、溝３４を形成し、相対する他端に第１貫通孔３５を形成し、第１電極バネ５１を箱ソケット３０一端内に穿合させる。また、該箱蓋４０の挿入部材４３は、該溝３４に位置合わせ、第２貫通孔４３２を形成し、該第２貫通孔４３２の好ましい位置は、円環４３１内であり、このように、第２電極バネ５２は、バネ５０ないに被さることができ、第１貫通孔４３２及び溝３４を通過し、箱ソケット３０の他端内に穿合する。また、該バネ５０は、該第２電極バネ５２と統合して単一のバネになり、即ち、該バネは、２段の異なる外径のバネ段を含み、第１バネ段は、収容溝内に位置し、第２バネ段は、第２貫通孔４３２及び溝３４に穿合する。第１電極バネ５１の末端５１１及び第２電極バネ５２の末端５２１は、何れも該電子装置１０の回路板１２の正負接点端子上に直接溶接でき、配線の問題を回避することができる。
【００１５】
以下に、更に３号（ＡＡ単３）及び４号（ＡＡＡ単４）電池により本発明の電池箱を共同使用する時、該電池箱２０の調整過程は、先ず、図１を参照し、それは、３号電池６０を取り付けた後の立体図であり、図４，６中からわかるように、３号電池６０は、４号電池６０’より大きいので、図３及び図７に示すように、該３号電池６０の負極は、先ず後ろ斜めに第１開口３１に挿入され、また、図１に示すように、該箱蓋４０の挿入部材４３は、押圧され、第２開口３２へ向けて移動し、この時、箱蓋４０の第２凸リブ４１２は、第１傾斜溝３３１の斜面に沿って後ろ向きに移動し、同時にバネ５０を圧縮し、図４，５に示すように、３号電池６０が第１開口３１から該箱ソケット３０内に完全に挿入されるのに十分な空間を有し、この時、該圧縮バネ５０は、該挿入部材４３を係止し、３号電池６０を電池箱２０中に固定させる。
【００１６】
図５、図６及び図８に示すように、４号電池６０’を本発明の電池箱に取り付ける時、同様に、先ず４号電池６０’の負極を開口３２(図１参照)から箱ソケット３０内に挿入し、該第２電極バネ５２に接触させた後、該挿入部材４３を押圧し、該箱蓋４０を後ろ向き上向きへ移動させ、同時にバネ５０を圧縮させる。４号電池６０’は、３号電池より短く且つ直径が小さいので、図７及び図８を比較し、該挿入部材４３は、後退する距離が短く、且つ該箱蓋４０の第２凸リブ４１２は、該第１傾斜溝３３１の位置より低く、同様に４号電池６０’が第１開口３１から箱ソケット３０内に完全に挿入されるのに十分な空間を有し、この時、該圧縮バネ５０は、回復力を有し、該挿入部材４３を係止し、前向きに下向きに移動させ、電池箱２０の空間を該４号電池６０’に適合するまで調整し、４号電池６０’を電池箱２０中に固定する。以上は、３号及び４号電池の２種の異なる寸法の電池のみを例として本発明の電池箱の操作方法を説明するが、これに限定するものではない。
【００１７】
上記のように、本発明の電池箱は、無線マウス中に統合され、該箱ソケットの第１開口は、該無線マウス下殻底面に開設され、使用者に無線マウス底面から電池の交換を行わせるので、無線マウスは、上記電池箱の構造設計により、使用者を異なる寸法の電池を交換させ、異なる型番の電池を購入して使用できない、或いは多くの異なる型番の電池を購入し、浪費を増やすという不便な問題を減少させる。
【符号の説明】
【００１８】
１０  電子装置
１１  外殻
１２  回路板
２０  電池箱
３０  箱ソケット
３１  第１開口
３２  第２開口
３３  側板
３３１  第１傾斜溝
３３２  第１凸リブ
３４  溝
３５  第１貫通孔
３６  固定板
４０  箱蓋
４１  長側辺
４１１  第２傾斜溝
４１２  第２凸リブ
４１３  挿入溝
４２  弧形板
４３  挿入部材
４３１  円環
４３２  第２貫通孔
５０  (圧縮)バネ
５１  第１電極バネ
５１１  末端
５２  第２電極バネ
５２１  末端
６０，６０’  (３号,４号)電池
【図１】
0003182959.tif 000003
【図２】
0003182959.tif 000004
【図３】
0003182959.tif 000005
【図４】
0003182959.tif 000006
【図５】
0003182959.tif 000007
【図６】
0003182959.tif 000008
【図７】
0003182959.tif 000009
【図８】
0003182959.tif 000010